(57)【要約】  本開示は、測定ギャップの設定方法及びネットワークノードを提供する。第２のネットワークノードに適用される該測定ギャップの設定方法は、ユーザ装置に対して第１の測定ギャップを設定することと、第１のネットワークノードと共に、前記第１の測定ギャップと、前記第１のネットワークノードが前記ユーザ装置に対して設定した測定ギャップである第２の測定ギャップとから選択される前記ユーザ装置の測定ギャップを決定することと、を含む。【選択図】図３
2021533678.tif 000002
【特許請求の範囲】
【請求項１】
第２のネットワークノードに適用される測定ギャップの設定方法であって、
ユーザ装置に対して第１の測定ギャップを設定することと、
第１のネットワークノードと共に、前記第１の測定ギャップと、前記第１のネットワークノードが前記ユーザ装置に対して設定した測定ギャップである第２の測定ギャップとから選択される前記ユーザ装置の測定ギャップを決定することと、を含む、測定ギャップの設定方法。
【請求項２】
前記測定ギャップは、各ユーザ装置に対する測定ギャップと各周波数範囲に対する測定ギャップのうちの少なくとも１つを含む、請求項１に記載の測定ギャップの設定方法。
【請求項３】
前記の前記第１のネットワークノードと共に前記ユーザ装置の測定ギャップを決定することは、
前記第１のネットワークノードに第１の通知メッセージを送信することを含み、前記第１の通知メッセージは、
前記ユーザ装置に対して第１の測定ギャップを設定する情報と、
前記第１の測定ギャップの設定情報と、
前記第１のネットワークノードが各ユーザ装置に対する測定ギャップ及び／又は各周波数範囲に対する測定ギャップを解放するように通知する情報と、
前記第１のネットワークノードが設定した測定ギャップを解放するように通知する情報とのうちの少なくとも１つを含む、請求項１に記載の測定ギャップの設定方法。
【請求項４】
前記第１のネットワークノードが前記第２の測定ギャップを解放することをさらに含む、請求項１に記載の測定ギャップの設定方法。
【請求項５】
前記第１のネットワークノードからの第２の通知メッセージを受信することをさらに含み、前記第２の通知メッセージは、
前記第１の通知メッセージを既に受信したことの確認メッセージと、
前記第２のネットワークノードが前記ユーザ装置に対して第１の測定ギャップを設定する情報と、
前記第１の測定ギャップの設定情報と、
各ユーザ装置に対する測定ギャップ及び／又は各周波数範囲に対する測定ギャップを解放する情報と、
前記第１のネットワークノードによって設定された測定ギャップを解放する情報とのうちの少なくとも１つを含む、請求項１又は３に記載の測定ギャップの設定方法。
【請求項６】
前記ユーザ装置に前記第１の測定ギャップの設定情報を送信することをさらに含む、請求項１に記載の測定ギャップの設定方法。
【請求項７】
前記設定情報は、シグナリング無線ベアラＳＲＢ３により前記ユーザ装置に送信される、請求項６に記載の測定ギャップの設定方法。
【請求項８】
前記第１のネットワークノードからの第３の通知メッセージを受信することをさらに含み、前記第３の通知メッセージは、
前記第１の通知メッセージを既に受信したことの確認メッセージと、
前記第２のネットワークノードが前記第１のネットワークノードによって設定された第２の測定ギャップを解放する情報と、
前記第１のネットワークノードが前記ユーザ装置に対して設定した第２の測定ギャップと、
前記第１のネットワークノードが前記ユーザ装置に対して第２の測定ギャップを設定するか否かの情報と、
各ユーザ装置に対する測定ギャップ及び／又は各周波数範囲に対する測定ギャップを解放する情報とのうちの少なくとも１つを含む、請求項１又は３に記載の測定ギャップの設定方法。
【請求項９】
前記第３の通知メッセージが、前記第２の測定ギャップを解放する情報、又は各ユーザ装置に対する測定ギャップ及び／又は各周波数範囲に対する測定ギャップを解放する前記情報を含む場合、前記第３の通知メッセージは、トランスペアレント伝送容器に含まれるＲＲＣメッセージである、請求項８に記載の測定ギャップの設定方法。
【請求項１０】
前記ユーザ装置の測定ギャップを解放することをさらに含む、請求項１に記載の測定ギャップの設定方法。
【請求項１１】
前記第２のネットワークノードが解放する測定ギャップは、前記第２の測定ギャップである、請求項１０に記載の測定ギャップの設定方法。
【請求項１２】
前記のユーザ装置の測定ギャップを解放することは、
前記第２のネットワークノードが前記ユーザ装置に測定ギャップ解放メッセージを送信すること、又は
前記第１のネットワークノードが前記第２のネットワークノードにより前記ユーザ装置にトランスペアレント伝送容器に含まれる測定ギャップ解放メッセージを送信することをさらに含む、請求項１０に記載の測定ギャップの設定方法。
【請求項１３】
前記第１のネットワークノードに第４の通知メッセージを送信することをさらに含み、前記第４の通知メッセージは、
前記第３の通知メッセージを既に受信したことの確認メッセージと、
前記第２のネットワークノードが前記ユーザ装置に対して第１の測定ギャップを設定する情報と、
第１の測定ギャップの設定情報と、
前記第１のネットワークノードによって設定された測定ギャップを解放する情報と、
各ユーザ装置に対する測定ギャップ及び／又は各周波数範囲に対する測定ギャップを解放する情報とのうちの少なくとも１つを含む、請求項１又は８に記載の測定ギャップの設定方法。
【請求項１４】
前記ユーザ装置に前記第１の測定ギャップの設定情報を送信することをさらに含む、請求項３に記載の測定ギャップの設定方法。
【請求項１５】
前記設定情報と前記測定ギャップ解放メッセージとは同一の無線リソース制御ＲＲＣメッセージにあり、或いは、
前記設定情報はＳＲＢ１メッセージを介して前記ユーザ装置に送信される、請求項１４に記載の測定ギャップの設定方法。
【請求項１６】
前記第１のネットワークノードが各ユーザ装置に対する測定ギャップ及び／又は各周波数範囲に対する測定ギャップを解放することをさらに含む、請求項１に記載の測定ギャップの設定方法。
【請求項１７】
前記第１のネットワークノードからの第５の通知メッセージを受信することをさらに含み、前記第５の通知メッセージは、
前記第１の通知メッセージを既に受信したことの確認メッセージと、
前記第２のネットワークノードが前記ユーザ装置に対して第１の測定ギャップを設定する情報と、
第１の測定ギャップの設定情報と、
前記第１のネットワークノードによって設定された測定ギャップを解放する情報と、
各ユーザ装置に対する測定ギャップ及び／又は各周波数範囲に対する測定ギャップを解放する情報と、
前記ユーザ装置に対して第１の測定ギャップを設定する情報とのうちの少なくとも１つを含む、請求項１又は３に記載の測定ギャップの設定方法。
【請求項１８】
前記の前記第１のネットワークノードと共に前記ユーザ装置の測定ギャップを決定することは、
前記第１のネットワークノードから送信された第６の通知メッセージを受信することをさらに含み、前記第６の通知メッセージは、
前記ユーザ装置に対して第１の測定ギャップを設定する情報と、
前記第１の測定ギャップの設定情報と、
各ユーザ装置に対する測定ギャップ及び／又は各周波数範囲に対する測定ギャップを解放する情報と、
前記第２のネットワークノードによって設定された測定ギャップを解放する情報とのうちの少なくとも１つを含む、請求項１に記載の測定ギャップの設定方法。
【請求項１９】
前記ユーザ装置の各ユーザ装置に対する測定ギャップ及び／又は各周波数範囲に対する測定ギャップを解放することをさらに含む、請求項１に記載の測定ギャップの設定方法。
【請求項２０】
前記第１のネットワークノードに第７の通知メッセージを送信することをさらに含み、前記第７の通知メッセージは、
前記第６の通知メッセージを既に受信したことの確認メッセージと、
前記第１のネットワークノードが前記ユーザ装置に対して第１の測定ギャップを設定する情報と、
第１の測定ギャップの設定情報と、
前記第１のネットワークノードによって設定された測定ギャップを解放する情報と、
各ユーザ装置に対する測定ギャップ及び／又は各周波数範囲に対する測定ギャップを解放する情報と、
前記ユーザ装置に対して第１の測定ギャップを設定する情報とのうちの少なくとも１つを含む、請求項１又は１８に記載の測定ギャップの設定方法。
【請求項２１】
前記設定情報は、測定ギャップのパターン、周期及び長さを含む、請求項１〜２０のいずれか１項に記載の測定ギャップの設定方法。
【請求項２２】
前記第２のネットワークノードはマスタ基地局であり、前記第１のネットワークノードはセカンダリ基地局であり、或いは、
前記第２のネットワークノードはセカンダリ基地局であり、前記第１のネットワークノードはマスタ基地局である、請求項１〜２０のいずれか１項に記載の測定ギャップの設定方法。
【請求項２３】
ユーザ装置に対して第１の測定ギャップを設定する設定モジュールと、
第１のネットワークノードと共に、前記第１の測定ギャップと、前記第１のネットワークノードが前記ユーザ装置に対して設定した測定ギャップである第２の測定ギャップとから選択される前記ユーザ装置の測定ギャップを決定する処理モジュールと、を含む、第２のネットワークノード。
【請求項２４】
前記測定ギャップは、各ユーザ装置に対する測定ギャップと各周波数範囲に対する測定ギャップのうちの少なくとも１つを含む、請求項２３に記載の第２のネットワークノード。
【請求項２５】
前記処理モジュールは、さらに、前記第１のネットワークノードに第１の通知メッセージを送信し、前記第１の通知メッセージは、
前記ユーザ装置に対して第１の測定ギャップを設定する情報と、
前記第１の測定ギャップの設定情報と、
前記第１のネットワークノードが各ユーザ装置に対する測定ギャップ及び／又は各周波数範囲に対する測定ギャップを解放するように通知する情報と、
前記第１のネットワークノードが設定した測定ギャップを解放するように通知する情報とのうちの少なくとも１つを含む、請求項２３に記載の第２のネットワークノード。
【請求項２６】
前記処理モジュールは、さらに、前記第１のネットワークノードからの第２の通知メッセージを受信し、前記第２の通知メッセージは、
前記第１の通知メッセージを既に受信したことの確認メッセージと、
前記第２のネットワークノードが前記ユーザ装置に対して第１の測定ギャップを設定する情報と、
前記第１の測定ギャップの設定情報と、
各ユーザ装置に対する測定ギャップ及び／又は各周波数範囲に対する測定ギャップを解放する情報と、
前記第１のネットワークノードによって設定された測定ギャップを解放する情報とのうちの少なくとも１つを含む、請求項２３又は２５に記載の第２のネットワークノード。
【請求項２７】
前記処理モジュールは、さらに、前記ユーザ装置に前記第１の測定ギャップの設定情報を送信する、請求項２３に記載の第２のネットワークノード。
【請求項２８】
前記設定情報は、シグナリング無線ベアラＳＲＢ３により前記ユーザ装置に送信される、請求項２７に記載の第２のネットワークノード。
【請求項２９】
前記処理モジュールは、さらに、前記第１のネットワークノードからの第３の通知メッセージを受信し、前記第３の通知メッセージは、
前記第１の通知メッセージを既に受信したことの確認メッセージと、
前記第２のネットワークノードが前記第１のネットワークノードによって設定された第２の測定ギャップを解放する情報と、
前記第１のネットワークノードが前記ユーザ装置に対して設定した第２の測定ギャップと、
前記第１のネットワークノードが前記ユーザ装置に対して第２の測定ギャップを設定するか否かの情報と、
各ユーザ装置に対する測定ギャップ及び／又は各周波数範囲に対する測定ギャップを解放する情報とのうちの少なくとも１つを含む、請求項２３又は２５に記載の第２のネットワークノード。
【請求項３０】
前記第３の通知メッセージが、前記第２の測定ギャップを解放する情報、又は各ユーザ装置に対する測定ギャップ及び／又は各周波数範囲に対する測定ギャップを解放する前記情報を含む場合、前記第３の通知メッセージは、トランスペアレント伝送容器に含まれるＲＲＣメッセージである、請求項２９に記載の第２のネットワークノード。
【請求項３１】
前記処理モジュールは、さらに、前記ユーザ装置の測定ギャップを解放する、請求項２３に記載の第２のネットワークノード。
【請求項３２】
前記第２のネットワークノードが解放する測定ギャップは、前記第２の測定ギャップである、請求項３１に記載の第２のネットワークノード。
【請求項３３】
前記処理モジュールは、具体的には、前記ユーザ装置に測定ギャップ解放メッセージを送信する、請求項３１に記載の第２のネットワークノード。
【請求項３４】
前記処理モジュールは、さらに、前記第１のネットワークノードに第４の通知メッセージを送信し、前記第４の通知メッセージは、
前記第３の通知メッセージを既に受信したことの確認メッセージと、
前記第２のネットワークノードが前記ユーザ装置に対して第１の測定ギャップを設定する情報と、
第１の測定ギャップの設定情報と、
前記第１のネットワークノードによって設定された測定ギャップを解放する情報と、
各ユーザ装置に対する測定ギャップ及び／又は各周波数範囲に対する測定ギャップを解放する情報とのうちの少なくとも１つを含む、請求項２３又は２９に記載の第２のネットワークノード。
【請求項３５】
前記処理モジュールは、さらに、前記ユーザ装置に前記第１の測定ギャップの設定情報を送信する、請求項２５に記載の第２のネットワークノード。
【請求項３６】
前記設定情報と前記測定ギャップ解放メッセージとは同一の無線リソース制御ＲＲＣメッセージにあり、或いは、
前記設定情報はＳＲＢ１メッセージを介して前記ユーザ装置に送信される、請求項３５に記載の第２のネットワークノード。
【請求項３７】
前記処理モジュールは、さらに、前記第１のネットワークノードからの第５の通知メッセージを受信し、前記第５の通知メッセージは、
前記第１の通知メッセージを既に受信したことの確認メッセージと、
前記第２のネットワークノードが前記ユーザ装置に対して第１の測定ギャップを設定する情報と、
第１の測定ギャップの設定情報と、
前記第１のネットワークノードによって設定された測定ギャップを解放する情報と、
各ユーザ装置に対する測定ギャップ及び／又は各周波数範囲に対する測定ギャップを解放する情報と、
前記ユーザ装置に対して第１の測定ギャップを設定する情報とのうちの少なくとも１つを含む、請求項２３又は２５に記載の第２のネットワークノード。
【請求項３８】
前記処理モジュールは、具体的には、前記第１のネットワークノードから送信された第６の通知メッセージを受信し、前記第６の通知メッセージは、
前記ユーザ装置に対して第１の測定ギャップを設定する情報と、
前記第１の測定ギャップの設定情報と、
各ユーザ装置に対する測定ギャップ及び／又は各周波数範囲に対する測定ギャップを解放する情報と、
前記第２のネットワークノードによって設定された測定ギャップを解放する情報とのうちの少なくとも１つを含む、請求項２３に記載の第２のネットワークノード。
【請求項３９】
前記処理モジュールは、さらに、前記ユーザ装置の各ユーザ装置に対する測定ギャップ及び／又は各周波数範囲に対する測定ギャップを解放する、請求項２３に記載の第２のネットワークノード。
【請求項４０】
前記処理モジュールは、さらに、前記第１のネットワークノードに第７の通知メッセージを送信し、前記第７の通知メッセージは、
前記第６の通知メッセージを既に受信したことの確認メッセージと、
前記第１のネットワークノードが前記ユーザ装置に対して第１の測定ギャップを設定する情報と、
第１の測定ギャップの設定情報と、
前記第１のネットワークノードによって設定された測定ギャップを解放する情報と、
各ユーザ装置に対する測定ギャップ及び／又は各周波数範囲に対する測定ギャップを解放する情報と、
前記ユーザ装置に対して第１の測定ギャップを設定する情報とのうちの少なくとも１つを含む、請求項２３又は３８に記載の第２のネットワークノード。
【請求項４１】
前記設定情報は、測定ギャップのパターン、周期及び長さを含む、請求項２３〜４０のいずれか１項に記載の第２のネットワークノード。
【請求項４２】
前記第２のネットワークノードはマスタ基地局であり、前記第１のネットワークノードはセカンダリ基地局であり、或いは、
前記第２のネットワークノードはセカンダリ基地局であり、前記第１のネットワークノードはマスタ基地局である、請求項２３〜４０のいずれか１項に記載の第２のネットワークノード。
【請求項４３】
メモリと、プロセッサと、メモリに記憶されてプロセッサ上で実行可能で、前記プロセッサによって実行されると、請求項１〜２２のいずれか１項に記載の測定ギャップの設定方法を実現するコンピュータプログラムと、を含む、ネットワークノード。
【請求項４４】
コンピュータプログラムが記憶されているコンピュータ読み取り可能な記憶媒体であって、
前記コンピュータプログラムがプロセッサによって実行されると、請求項１〜２２のいずれか１項に記載の測定ギャップの設定方法を実現されるコンピュータ読み取り可能な記憶媒体。
【発明の詳細な説明】
【技術分野】
【０００１】
本願は、２０１８年８月７日に提出された中国特許出願第２０１８１０８９３４１８．８号の優先権を主張するものであり、その全ての内容は参照により本願に組み込まれるものとする。
本開示は、通信の技術分野に関し、特に、測定ギャップの設定方法及びネットワークノードに関する。
【背景技術】
【０００２】
５Ｇシステムは、導入後にデュアルコネクティビティ（Ｄｕａｌ  Ｃｏｎｎｅｃｔｉｖｉｔｙ、ＤＣ）アーキテクチャを用いて伝送の信頼性を向上させる。第１段階の配置では、ロングタームエボリューション（Ｌｏｎｇ  Ｔｅｒｍ  Ｅｖｏｌｕｔｉｏｎ、ＬＴＥ）との間でデュアルコネクティビティのアーキテクチャを用いて相互運用性（ｉｎｔｅｒｗｏｒｋｉｎｇ）の要求を満たす。ＬＴＥのＤＣアーキテクチャでは、測定ギャップ（ｍｅａｓｕｒｅｍｅｎｔ  ｇａｐ、ＭＰ）は、いずれもｐｅｒ−ＵＥで設定され、すなわち、各ユーザ装置（Ｕｓｅｒ  Ｅｑｕｉｐｍｅｎｔ、ＵＥ）に１つのｍｅａｓｕｒｅｍｅｎｔ  ｇａｐが設定され、かついずれもマスタ基地局（Ｍａｓｔｅｒ  ｅＮＢ、ＭｅＮＢ）によって設定される。
【０００３】
５Ｇの新たな無線技術（Ｎｅｗ  Ｒａｄｉｏ、ＮＲ）、又はＬＴＥのロングタームエボリューション−新たな無線技術デュアルコネクティビティ（ＬＴＥ  ＮＲ  Ｄｕａｌ  Ｃｏｎｎｅｃｔｉｏｎ、ＥＮ  ＤＣ）アーキテクチャでは、セカンダリ基地局（Ｓｅｃｏｎｄａｒｙ  ｅＮＢ、ＳｅＮＢ）は、周波数範囲（Ｆｒｅｑｕｅｎｃｙ  Ｒａｎｇｅ、ＦＲ）に基づくｐｅｒ−ＦＲ測定ギャップを設定する能力を含むより多くの能力を備えようとすれば、セカンダリ基地局ＳｅＮＢとマスタ基地局ＭｅＮＢとの間の協調が必要である。
【０００４】
関連技術では、マスタ基地局ＭｅＮＢがｐｅｒ−ＵＥ  ｇａｐを設定した後に、セカンダリ基地局ＳｅＮＢに通知する必要があるが、セカンダリ基地局ＳｅＮＢがＦＲ２  ｇａｐを設定した後にマスタ基地局ＭｅＮＢに通知せず、また、関連技術におけるメカニズムは、セカンダリ基地局ＳｅＮＢがＦＲ２  ｇａｐを設定した場合、マスタ基地局ＭｅＮＢがＰｅｒ−ＵＥ  ｇａｐを設定する必要があれば、ネットワーク側がどのように協調するかということ、或いは、マスタ基地局ＭｅＮＢがｐｅｒ−ＵＥ  ｇａｐを設定した場合、セカンダリ基地局ＳｅＮＢがＦＲ２  ｇａｐを設定する必要があれば、ネットワーク側がどのように協調するかということが決定されていない。関連技術におけるメカニズムは、ユーザ装置ＵＲにｐｅｒ−ＵＥ及びｐｅｒ−ＦＲ  ｇａｐを同時に設定させるため、データ伝送の不必要な中断及びｍｅａｓｕｒｅｍｅｎｔ  ｇａｐ設定の非柔軟性をもたらす可能性がある。
【発明の概要】
【発明が解決しようとする課題】
【０００５】
本開示が解決しようとする技術的課題は、マスタ基地局（Ｍａｓｔｅｒ  Ｎｏｄｅ、ＭＮ）及びセカンダリ基地局（Ｓｅｃｏｎｄａｒｙ  Ｎｏｄｅ、ＳＮ）がユーザ装置ＵＲに対してｐｅｒ−ＵＥ  ｇａｐ及びｐｅｒ−ＦＲ  ｇａｐを設定する協調を実現することができる、測定ギャップの設定方法及びネットワークノードを提供することである。
【課題を解決するための手段】
【０００６】
上記技術的課題を解決するために、本開示の実施例に係る技術手段は、以下のとおりである。
【０００７】
第１の態様では、本開示の実施例に係る、第２のネットワークノードに適用される測定ギャップの設定方法は、
ユーザ装置に対して第１の測定ギャップを設定することと、
第１のネットワークノードと共に、前記第１の測定ギャップと、前記第１のネットワークノードが前記ユーザ装置に対して設定した測定ギャップである第２の測定ギャップとから選択される前記ユーザ装置の測定ギャップを決定することと、を含む。
【０００８】
第２の態様では、本開示の実施例に係る第２のネットワークノードは、
ユーザ装置に対して第１の測定ギャップを設定する設定モジュールと、
第１のネットワークノードと共に、前記第１の測定ギャップと、前記第１のネットワークノードが前記ユーザ装置に対して設定した測定ギャップである第２の測定ギャップとから選択される前記ユーザ装置の測定ギャップを決定する処理モジュールと、を含む。
【０００９】
第３の態様では、本開示の実施例に係るネットワークノードは、メモリと、プロセッサと、メモリに記憶されてプロセッサ上で実行可能で、前記プロセッサによって実行されると、上述した測定ギャップの設定方法を実現するコンピュータプログラムと、を含む。
【００１０】
第４の態様では、本開示の実施例に係るコンピュータ読み取り可能な記憶媒体には、プロセッサによって実行されると、上述した測定ギャップの設定方法を実現するコンピュータプログラムが記憶されている。
【発明の効果】
【００１１】
本開示の実施例は、以下の有益な効果を有する。
【００１２】
上記解決手段では、第２のネットワークノードは、ユーザ装置に対して第１の測定ギャップを設定した後に、第１のネットワークノードと共に、第１の測定ギャップと、第１のネットワークノードがユーザ装置に対して設定した第２の測定ギャップとから選択されるユーザ装置の測定ギャップを決定し、第１のネットワークノード及び第２のネットワークノードをＭＮ及びＳＮから選択することにより、ＭＮ及びＳＮがユーザ装置ＵＲに対してｐｅｒ−ＵＥ  ｇａｐ及びｐｅｒ−ＦＲ  ｇａｐを設定する協調を実現することができる。
【図面の簡単な説明】
【００１３】
【図１】ＭＮとＳＮの接続の概略図その１である。
【図２】ＭＮとＳＮの接続の概略図その２である。
【図３】本開示の実施例に係る測定ギャップの設定方法のフローチャートである。
【図４】本開示の実施例に係る第２のネットワークノードの概略構成図である。
【図５】本開示の実施例に係るネットワークノードの概略構成図である。
【発明を実施するための形態】
【００１４】
本開示の実施例が解決しようとする技術的課題、技術手段及び利点をより明確にするために、以下、図面及び具体的な実施例を参照しながら詳細に説明する。
【００１５】
プロトコルＴＳ  ３６．３００において、測定は、同周波数測定（Ｉｎｔｒａ−ｆｒｅｑｕｅｎｃｙ  ｍｅａｓｕｒｅｍｅｎｔ）と異周波数測定（ｉｎｔｅｒ−ｆｒｅｑｕｅｎｃｙ  ｍｅａｓｕｒｅｍｅｎｔ）とに分けられる。同周波数測定とは、ユーザ装置ＵＲの現在位置するセルと測定対象のターゲットセルとが同一のキャリア周波数点（中心周波数点）にあることを意味する。異周波数測定とは、ユーザ装置ＵＲの現在位置するセルとターゲットセルとが同一のキャリア周波数点に存在しないことを指す。ユーザ装置ＵＲが異周波数測定（異方式のＩｎｔｅｒ−ＲＡＴ測定を含む）を行う必要があれば、簡単な方法は、ユーザ装置ＵＲに２種類の無線周波数受信機を取り付け、それぞれ本セルの周波数点及びターゲットセルの周波数点を測定することであるが、このようにコストが増加し、異なる周波数点が相互に干渉するという問題をもたらす。したがって、第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）では、測定ギャップの方法を提出し、すなわち、データを通常に送受信するプロセスにおいて、一部の時間（すなわち、測定ギャップ時間）を予約し、この時間内に、ユーザ装置ＵＲが何らデータを送受信せずに、受信機をターゲットセルの周波数点に調整して異周波数（又は異方式）の測定を行い、測定ギャップ時間が終了したときに現在のサービングセルの周波数点に調整して、データの送受信を継続することである。
【００１６】
現在位置するセルとターゲットセルとのキャリア周波数点が異なり、ターゲットセルの帯域幅が現在セルの帯域幅より小さく、かつターゲットセルの帯域幅が現在セルの帯域幅内であるというシーンは、異周波数測定に属し、測定ギャップを設定する必要がある。
【００１７】
現在位置するセルとターゲットセルとのキャリア周波数点が異なり、ターゲットセルの帯域幅が現在セルの帯域幅より大きく、かつ現在セルの帯域幅がターゲットセルの帯域幅内であるというシーンは、異周波数測定に属し、測定ギャップを設定する必要がある。
【００１８】
現在位置するセルとターゲットセルとのキャリア周波数点が異なり、ターゲットセルの帯域幅と現在セルの帯域幅とが重ならないというシーンは、異周波数測定に属し、測定ギャップを設定する必要がある。
【００１９】
ＬＴＥは、異周波数／異方式測定において測定ギャップを導入する。測定ギャップとは、主に測定プロセスにおいて、無線周波数（Ｒａｄｉｏ  Ｆｒｅｑｕｅｎｃｙ、ＲＦ）から別のＲＦに再調整（ｒｅｔｕｎｅ）して、対応する基準信号の測定を行う必要があることにより引き起こされる中断時間である。
【００２０】
ＬＴＥにおける測定ギャップのパターン（ｐａｔｔｅｒｎ）は一定である。測定ギャップの開始位置（位置するＳＦＮ、ｓｕｂｆｒａｍｅ情報を含む）ネットワーク側は、ｍｅａｓＧａｐＣｏｎｆｉｇパラメータにより設定される。具体的には以下のとおりである。
【００２１】
2021533678.tif 000003
【００２２】
端末は、ｇａｐ  ｏｆｆｓｅｔの情報を受信した後に、
ＳＦＮ  ｍｏｄ  Ｔ＝ＦＬＯＯＲ（ｇａｐＯｆｆｓｅｔ／１０）と、
ｓｕｂｆｒａｍｅ＝ｇａｐＯｆｆｓｅｔ  ｍｏｄ  １０と、
ｗｉｔｈ  Ｔ＝ＭＧＲＰ／１０  ａｓ  ｄｅｆｉｎｅｄ  ｉｎ  ＴＳ  ３６．１３３［１６］との式に基づいて、
測定ギャップの開始位置を算出する。
【００２３】
式中、Ｔは測定ギャップの周期であり、ＳＦＮ（Ｓｙｓｔｅｍ  Ｆｒａｍｅ  Ｎｕｍｂｅｒ）は現在のシステムフレーム番号であり、ｓｕｂｆｒａｍｅはサブフレーム番号であり、以上から分かるように、ｇａｐの時間長さは一定で、６ｍｓであり、それに応じて、周期も２種類のみがあり、ＮＲシステムにおける柔軟なチャネル状態情報基準信号（ＣＳＩ  Ｒｅｆｅｒｅｎｃｅ  Ｓｉｇｎａｌ、ＣＳＩ−ＲＳ）などの基準信号の設定に適さない。
【００２４】
ＬＴＥでは、端末がサポートする全てのキャリア又はキャリアの組み合わせにおいて、サポートする各周波数バンドごとに、サポートする他の周波数バンドに対してｇａｐを測定する必要があるか否かについて、ｉｎｔｅｒＲＡＴ及びｉｎｔｅｒ−ｆｒｅｑｕｅｎｃｙ測定に用いられるｎｅｅｄｆｏｒｇａｐの指示を与える。
【００２５】
５Ｇ  ＮＲシステムは、ＬＴＥの最大２０ＭＨｚのシステム帯域幅よりもはるかに大きい最大４００ＭＨｚのシステム帯域幅をサポートして、システムとユーザのより大きなスループットをサポートする。しかしながら、このような大きいシステム帯域幅をサポートすることは、ユーザ装置ＵＲの実現にとっては大きな課題であり、低コストユーザ装置ＵＲの実現には不利である。したがって、５Ｇ  ＮＲシステムは、動的かつ柔軟な帯域幅割り当てをサポートし、システムの帯域幅を複数の帯域幅部分（ｂａｎｄｗｉｄｔｈ  ｐａｒｔ、ＢＷＰ）に分割することにより、狭帯域端末ユーザ又は省エネルギーモードにある端末ユーザのアクセスをサポートする。
【００２６】
５Ｇ  ＮＲシステムは、６ＧＨｚ以上の動作周波数バンドをサポートし、データ伝送に、より大きなスループットを提供することができる。高周波数信号の波長が短く、低周波数バンドに比べて、サイズが同じパネルにより多くのアンテナアレイ素子を配置でき、ビームフォーミング技術を利用して指向性がより強く、ローブがより狭い複数のビームを形成できる。５Ｇ  ＮＲシステムは、ビーム走査技術により、セル内の端末ユーザに放送信号又はシステム情報を送信する。
【００２７】
５Ｇシステムは、導入後にデュアルコネクティビティ（Ｄｕａｌ  Ｃｏｎｎｅｃｔｉｖｉｔｙ、ＤＣ）アーキテクチャを用いて伝送の信頼性を向上させる。第１段階の配置では、ロングタームエボリューション（Ｌｏｎｇ  Ｔｅｒｍ  Ｅｖｏｌｕｔｉｏｎ、ＬＴＥ）との間でデュアルコネクティビティのアーキテクチャを用いて相互運用性（ｉｎｔｅｒｗｏｒｋｉｎｇ）の要求を満たす。ＬＴＥのＤＣアーキテクチャでは、測定ギャップ（ｍｅａｓｕｒｅｍｅｎｔ  ｇａｐ、ＭＰ）は、いずれもｐｅｒ−ＵＥで設定され、すなわち、各ユーザ装置（Ｕｓｅｒ  Ｅｑｕｉｐｍｅｎｔ、ＵＥ）に対して１つのｍｅａｓｕｒｅｍｅｎｔ  ｇａｐが設定され、かついずれもマスタ基地局（Ｍａｓｔｅｒ  ｅＮＢ、ＭｅＮＢ）によって設定される。
【００２８】
５Ｇの新たな無線技術（Ｎｅｗ  Ｒａｄｉｏ、ＮＲ）やＬＴＥのロングタームエボリューション−新たな無線技術デュアルコネクティビティ（ＬＴＥ  ＮＲ  Ｄｕａｌ  Ｃｏｎｎｅｃｔｉｏｎ、ＥＮ  ＤＣ）アーキテクチャでは、セカンダリ基地局（Ｓｅｃｏｎｄａｒｙ  ｅＮＢ、ＳｅＮＢ）は、周波数範囲（Ｆｒｅｑｕｅｎｃｙ  Ｒａｎｇｅ、ＦＲ）に基づくｐｅｒ−ＦＲ測定ギャップを設定する能力を含むより多くの能力を備えようとすれば、セカンダリ基地局ＳｅＮＢとマスタ基地局ＭｅＮＢとの間の協調が必要である。
【００２９】
ユーザ装置ＵＲがいつ異周波数測定又はデータの送受信を行うかを決定できるようにするために、ユーザ装置ＵＲとネットワークとは、測定ギャップの設定（例えば、測定ギャップの開始位置、測定ギャップの長さ、測定ギャップの数など）について同じように理解する必要があり、これらのパラメータは、無線リソース制御（Ｒａｄｉｏ  Ｒｅｓｏｕｒｃｅ  Ｃｏｎｔｒｏｌ、ＲＲＣ）設定メッセージのＭｅａｓＧａｐＣｏｎｆｉｇ情報要素によって定義される。
【００３０】
上記ｍｅａｓｕｒｅｍｅｎｔ  ｇａｐは、いずれもｐｅｒ−ＵＥで設定され、すなわち、各ユーザ装置ＵＲは自分の個々のｍｅａｓｕｒｅｍｅｎｔ  ｇａｐを有する。ＬＴＥの後続の進化では、Ｐｅｒ−ＣＣ  ｍｅａｓｕｒｅｍｅｎｔ  ｇａｐ、すなわち、各キャリアユニット（ｃｏｍｐｏｎｅｎｔ  ｃａｒｒｉｅｒ）に対して１つのｍｅａｓｕｒｅｍｅｎｔ  ｇａｐを設定することが提出されている。デュアルコネクティビティＤｕａｌ  ｃｏｎｎｅｃｔｉｖｉｔｙアーキテクチャでは、マスタ基地局ＭｅＮＢ及びセカンダリ基地局ＳｅＮＢでのマスタセルグループ（Ｍａｓｔｅｒ  Ｃｅｌｌ  Ｇｒｏｕｐ、ＭＣＧ）とセカンダリセルグループ（Ｓｅｃｏｎｄａｒｙ  Ｃｅｌｌ  Ｇｒｏｕｐ、ＳＣＧ）における各セル（ｃｅｌｌ）に対して、いずれも異なるｃｏｍｐｏｎｅｎｔ  ｃａｒｒｉｅｒであり、ｐｅｒ−ｃｃ  ｍｅａｓｕｒｅｍｅｎｔ  ｇａｐは、各ｃｅｌｌに個々に設定されたｍｅａｓｕｒｅｍｅｎｔ  ｇａｐである。
【００３１】
５Ｇ  ＮＲでは、セルグループ別（ｐｅｒ−ｃｅｌｌ  ｇｒｏｕｐ、Ｐｅｒ−ＣＧ）ｍｅａｓｕｒｅｍｅｎｔ  ｇａｐを採用してよく、すなわち、ＭＣＧ及びＳＣＧはそれぞれ同一のユーザ装置ＵＲに対して１つのｍｅａｓｕｒｅｍｅｎｔ  ｇａｐを設定してよく、すなわち、ＭＣＧ（又はＳＣＧ）における全てのｃｅｌｌ（Ｃｏｍｐｏｎｅｎｔ  Ｃａｒｒｉｅｒ）はいずれもこのｍｅａｓｕｒｅｍｅｎｔ  ｇａｐを使用する。
【００３２】
５Ｇ  ＮＲとＬＴＥ  ｉｎｔｅｒｗｏｒｋｉｎｇのｎｏｎ−ｓｔａｎｄａｌｏｎｅシーンの検討では、図１に示すように、第１段階で、主にＬＴＥの基地局をマスタ基地局ＭｅＮＢとし、ＮＲの基地局ｇＮＢをＳｇＮＢとする。しかしながら、将来、ＮＲをマスタ基地局とし、ＬＴＥをセカンダリ基地局とするシーンを検討し、図２を参照する。
【００３３】
関連技術では、マスタ基地局ＭｅＮＢがｐｅｒ−ＵＥ  ｇａｐを設定した後に、セカンダリ基地局ＳｅＮＢに通知する必要があるが、セカンダリ基地局ＳｅＮＢがＦＲ２  ｇａｐを設定した後にマスタ基地局ＭｅＮＢに通知せず、また、関連技術におけるメカニズムは、セカンダリ基地局ＳｅＮＢがＦＲ２  ｇａｐを設定した場合、マスタ基地局ＭｅＮＢがＰｅｒ−ＵＥ  ｇａｐを設定する必要があれば、ネットワーク側がどのように協調するかということ、或いは、マスタ基地局ＭｅＮＢがｐｅｒ−ＵＥ  ｇａｐを設定した場合、セカンダリ基地局ＳｅＮＢがＦＲ２  ｇａｐを設定する必要があれば、ネットワーク側がどのように協調するかということが決定されていない。関連技術におけるメカニズムは、ユーザ装置ＵＲにｐｅｒ−ＵＥ及びｐｅｒ−ＦＲ  ｇａｐが同時に設定されるため、データ伝送の不必要な中断及びｍｅａｓｕｒｅｍｅｎｔ  ｇａｐ設定の非柔軟性をもたらす可能性がある。
【００３４】
上記課題を解決するために、本開示の実施例は、ＭＮ及びＳＮがユーザ装置ＵＲに対してｐｅｒ−ＵＥ  ｇａｐ及びｐｅｒ−ＦＲ  ｇａｐを設定する協調を実現することができる、測定ギャップの設定方法及びネットワークノードを提供する。
【００３５】
本開示の実施例に係る、第２のネットワークノードに適用される測定ギャップの設定方法は、図３に示すように、
ユーザ装置に対して第１の測定ギャップを設定するステップ１０１と、
第１のネットワークノードと共に、上記第１の測定ギャップと、上記第１のネットワークノードが上記ユーザ装置に対して設定した測定ギャップである第２の測定ギャップとから選択される上記ユーザ装置の測定ギャップを決定するステップ１０２とを含む。
【００３６】
本実施例では、第２のネットワークノードはユーザ装置に対して第１の測定ギャップを設定した後に、第１のネットワークノードと共に、第１の測定ギャップと、第１のネットワークノードがユーザ装置に対して設定した第２の測定ギャップとから選択されるユーザ装置の測定ギャップを決定し、第１のネットワークノード及び第２のネットワークノードをＭＮ及びＳＮから選択することにより、ＭＮ及びＳＮがユーザ装置ＵＲに対してｐｅｒ−ＵＥ  ｇａｐ及びｐｅｒ−ＦＲ  ｇａｐを設定する協調を実現することができる。
【００３７】
さらに、上記測定ギャップは、各ユーザ装置に対する測定ギャップと各周波数範囲に対する測定ギャップのうちの少なくとも１つを含む。
【００３８】
さらに、上記第１のネットワークノードと共に上記ユーザ装置の測定ギャップを決定する上記ステップは、
上記第１のネットワークノードに第１の通知メッセージを送信するステップを含み、上記第１の通知メッセージは、
上記ユーザ装置に対して第１の測定ギャップを設定する情報と、
上記第１の測定ギャップの設定情報と、
上記第１のネットワークノードが各ユーザ装置に対する測定ギャップ及び／又は各周波数範囲に対する測定ギャップを解放するように通知する情報と、
上記第１のネットワークノードが設定した測定ギャップを解放するように通知する情報とのうちの少なくとも１つを含む。
【００３９】
好ましくは、上記方法は、
上記第１のネットワークノードが上記第２の測定ギャップを解放するステップをさらに含む。
【００４０】
好ましくは、上記方法は、
上記第１のネットワークノードからの第２の通知メッセージを受信するステップをさらに含み、上記第２の通知メッセージは、
上記第１の通知メッセージを既に受信したことの確認メッセージと、
上記第２のネットワークノードが上記ユーザ装置に対して第１の測定ギャップを設定する情報と、
上記第１の測定ギャップの設定情報と、
各ユーザ装置に対する測定ギャップ及び／又は各周波数範囲に対する測定ギャップを解放する情報と、
上記第１のネットワークノードによって設定された測定ギャップを解放する情報とのうちの少なくとも１つを含む。
【００４１】
好ましくは、上記方法は、
上記ユーザ装置に上記第１の測定ギャップの設定情報を送信するステップをさらに含む。
【００４２】
具体的には、上記設定情報は、シグナリング無線ベアラ（ｓｉｇｎａｌｉｎｇ  ｒａｄｉｏ  ｂｅａｒｅｒｓ、ＳＲＢ）３により上記ユーザ装置に送信されることができる。
【００４３】
好ましくは、上記方法は、
上記第１のネットワークノードからの第３の通知メッセージを受信するステップをさらに含み、上記第３の通知メッセージは、
上記第１の通知メッセージを既に受信したことの確認メッセージと、
上記第２のネットワークノードが上記第１のネットワークノードによって設定された第２の測定ギャップを解放する情報と、
上記第１のネットワークノードが上記ユーザ装置に対して設定した第２の測定ギャップと、
上記第１のネットワークノードが上記ユーザ装置に対して第２の測定ギャップを設定するか否かの情報と、
各ユーザ装置に対する測定ギャップ及び／又は各周波数範囲に対する測定ギャップを解放する情報とのうちの少なくとも１つを含む。
【００４４】
さらに、上記第３の通知メッセージが、上記第２の測定ギャップを解放する情報、又は各ユーザ装置に対する測定ギャップ及び／又は各周波数範囲に対する測定ギャップを解放する上記情報を含む場合、上記第３の通知メッセージは、トランスペアレント伝送容器に含まれるＲＲＣメッセージである。
【００４５】
好ましくは、上記方法は、
上記ユーザ装置の測定ギャップを解放するステップをさらに含む。
【００４６】
具体的には、上記第２のネットワークノードが解放する測定ギャップは、上記第２の測定ギャップである。
【００４７】
さらに、ユーザ装置の測定ギャップを解放する上記ステップは、
上記第２のネットワークノードが上記ユーザ装置に測定ギャップ解放メッセージを送信するステップ、又は
上記第１のネットワークノードが上記第２のネットワークノードにより上記ユーザ装置にトランスペアレント伝送容器に含まれる測定ギャップ解放メッセージを送信するステップをさらに含む。
【００４８】
好ましくは、上記方法は、
上記第１のネットワークノードに第４の通知メッセージを送信するステップをさらに含み、上記第４の通知メッセージは、
上記第３の通知メッセージを既に受信したことの確認メッセージと、
上記第２のネットワークノードが上記ユーザ装置に対して第１の測定ギャップを設定する情報と、
第１の測定ギャップの設定情報と、
上記第１のネットワークノードによって設定された測定ギャップを解放する情報と、
各ユーザ装置に対する測定ギャップ及び／又は各周波数範囲に対する測定ギャップを解放する情報とのうちの少なくとも１つを含む。
【００４９】
好ましくは、上記方法は、
上記ユーザ装置に上記第１の測定ギャップの設定情報を送信するステップをさらに含む。
【００５０】
さらに、上記設定情報と上記測定ギャップ解放メッセージとは同一の無線リソース制御ＲＲＣメッセージにあり、或いは、
上記設定情報はＳＲＢ１メッセージを介して上記ユーザ装置に送信される。
【００５１】
好ましくは、上記方法は、
上記第１のネットワークノードが各ユーザ装置に対する測定ギャップ及び／又は各周波数範囲に対する測定ギャップを解放するステップをさらに含む。
【００５２】
好ましくは、上記方法は、
上記第１のネットワークノードからの第５の通知メッセージを受信するステップをさらに含み、上記第５の通知メッセージは、
上記第１の通知メッセージを既に受信したことの確認メッセージと、
上記第２のネットワークノードが上記ユーザ装置に対して第１の測定ギャップを設定する情報と、
第１の測定ギャップの設定情報と、
上記第１のネットワークノードによって設定された測定ギャップを解放する情報と、
各ユーザ装置に対する測定ギャップ及び／又は各周波数範囲に対する測定ギャップを解放する情報と、
上記ユーザ装置に対して第１の測定ギャップを設定する情報とのうちの少なくとも１つを含む。
【００５３】
さらに、上記第１のネットワークノードと共に上記ユーザ装置の測定ギャップを決定する上記ステップは、
上記第１のネットワークノードから送信された第６の通知メッセージを受信するステップをさらに含み、上記第６の通知メッセージは、
上記ユーザ装置に対して第１の測定ギャップを設定する情報と、
上記第１の測定ギャップの設定情報と、
各ユーザ装置に対する測定ギャップ及び／又は各周波数範囲に対する測定ギャップを解放する情報と、
上記第２のネットワークノードによって設定された測定ギャップを解放する情報とのうちの少なくとも１つを含む。
【００５４】
好ましくは、上記方法は、
上記ユーザ装置の各ユーザ装置に対する測定ギャップ及び／又は各周波数範囲に対する測定ギャップを解放するステップをさらに含む。
【００５５】
好ましくは、上記方法は、
上記第１のネットワークノードに第７の通知メッセージを送信するステップをさらに含み、前記第７の通知メッセージは、
上記第６の通知メッセージを既に受信したことの確認メッセージと、
上記第１のネットワークノードが上記ユーザ装置に対して第１の測定ギャップを設定する情報と、
第１の測定ギャップの設定情報と、
上記第１のネットワークノードによって設定された測定ギャップを解放する情報と、
各ユーザ装置に対する測定ギャップ及び／又は各周波数範囲に対する測定ギャップを解放する情報と、
上記ユーザ装置に対して第１の測定ギャップを設定する情報とのうちの少なくとも１つを含む。
【００５６】
さらに、上記設定情報は、測定ギャップのパターン、周期及び長さを含む。
【００５７】
上記実施例では、上記第２のネットワークノードはマスタ基地局であってよく、上記第１のネットワークノードはセカンダリ基地局であってよく、或いは、上記第２のネットワークノードはセカンダリ基地局であり、上記第１のネットワークノードはマスタ基地局である。
【００５８】
以下、具体的な実施例を参照しながら本開示の測定ギャップの設定方法をさらに説明する。
【００５９】
実施例１
本実施例では、第１のネットワークノードは、ユーザ装置ＵＲに対して、Ｒ１に対する測定ギャップとＦＲ２に対する測定ギャップとを含むＦＦＲ  ｇａｐを設定し、或いは、ユーザ装置ＵＲに対してｐｅｒ−ＵＥ  ｇａｐを設定し、第２のネットワークノードは、ユーザ装置ＵＲに対して、ｐｅｒ−ＵＥ  ｇａｐ、又はＦＲ１に対する測定ギャップとＦＲ２に対する測定ギャップとを含むｐｅｒ−ＦＲ  ｇａｐを設定する。本実施例は、以下のステップ１〜ステップ４によりユーザ装置ＵＲに対して測定ギャップを設定する。
【００６０】
ステップ１では、第２のネットワークノードは、第１のネットワークノードに通知し、通知は、
ユーザ装置ＵＲに対してｐｅｒ−ＵＥ  ｇａｐ又はｐｅｒ−ＦＲ  ｇａｐを設定する必要がある内容と、
Ｐｅｒ−ＵＥ  ｇａｐ設定又はｐｅｒ−ＦＲ  ｇａｐ設定と、
ｐｅｒ−ＦＲ  ｇａｐ（ＦＲ１  ｇａｐ及び／又はＦＲ２  ｇａｐ）又はｐｅｒ−ＵＥ  ｇａｐを解放する内容と、
第１のネットワークノードによって設定されたｇａｐを解放する内容とのうちの少なくとも１つを含む。
【００６１】
ステップ２では、第１のネットワークノードは、ユーザ装置のｐｅｒ−ＦＲ  ｇａｐ及び／又はｐｅｒ−ＵＥ  ｇａｐを解放する。
【００６２】
ステップ３では、第１のネットワークノードは、第２のネットワークノードに通知する。通知は、
通知内容を既に受信したことの確認メッセージと、
第２のネットワークノードがユーザ装置ＵＲに対してｐｅｒ−ＵＥ  ｇａｐ又はｐｅｒ−ＦＲ  ｇａｐを設定する内容と、
Ｐｅｒ−ＵＥ  ｇａｐ設定又はｐｅｒ−ＦＲ  ｇａｐ設定と、
第１のネットワークノードによって設定されたｇａｐを解放する内容と、
ｐｅｒ−ＦＲ  ｇａｐ又はｐｅｒ−ＵＥ  ｇａｐを解放する内容とのうちの少なくとも１つを含む。
【００６３】
ステップ４では、第２のネットワークノードは、ユーザ装置ＵＲに対してｐｅｒ−ＵＥ  ｇａｐ又はｐｅｒ−ＦＲ  ｇａｐを設定する。
【００６４】
さらに、ｐｅｒ−ＵＥ  ｇａｐ又はｐｅｒ−ＦＲ  ｇａｐの設定情報をＳＲＢ３メッセージを介してユーザ装置に送信する。
【００６５】
なお、ステップ４は必須のステップであり、ステップ１〜３は選択可能なステップであり、各ステップの番号は各ステップの順序を限定するものではなく、当業者であれば、創造的な労力を要せずに各ステップの順序を変化することも本開示の保護範囲にある。
【００６６】
具体的には、第２のネットワークノードはＭＮであってよく、第１のネットワークノードはＳＮであってよい。
【００６７】
実施例２
本実施例では、第１のネットワークノードは、ユーザ装置ＵＲに対して、ＦＲ１に対する測定ギャップとＦＲ２に対する測定ギャップとを含むＦＲ  ｇａｐを設定し、或いは、ユーザ装置ＵＲに対してｐｅｒ−ＵＥ  ｇａｐを設定し、第２のネットワークノードは、ユーザ装置ＵＲに対して、ｐｅｒ−ＵＥ  ｇａｐ、又はＦＲ１に対する測定ギャップとＦＲ２に対する測定ギャップとを含むｐｅｒ−ＦＲ  ｇａｐを設定する。本実施例は、以下のステップ１〜ステップ５によりユーザ装置ＵＲに対して測定ギャップを設定する。
【００６８】
ステップ１では、第２のネットワークノードは、第１のネットワークノードに通知し、通知は、
ユーザ装置ＵＲに対してｐｅｒ−ＵＥ  ｇａｐ又はｐｅｒ−ＦＲ  ｇａｐを設定する必要がある内容と、
Ｐｅｒ−ＵＥ  ｇａｐ又はｐｅｒ−ＦＲ  ｇａｐの、ｍｅａｓｕｒｅｍｅｎｔ  ｇａｐのｐａｔｔｅｒｎ、周期、ギャップの長さなどを含む設定情報と、
ｐｅｒ−ＦＲ  ｇａｐ（ＦＲ１  ｇａｐ及び／又はＦＲ２  ｇａｐ）又はｐｅｒ−ＵＥ  ｇａｐを解放する内容と、
第１のネットワークノードによって設定されたｇａｐを解放する内容とのうちの少なくとも１つを含む。
【００６９】
ステップ２では、第１のネットワークノードは、第２のネットワークノードに通知し、通知は、
通知内容を既に受信したことの確認メッセージと、
第２のネットワークノードが第１のネットワークノードによって設定されたｐｅｒ−ＦＲ又はＰｅｒ−ＵＥ  ｇａｐを解放する内容と、
第１のネットワークノードがユーザ装置ＵＲに対して設定したｐｅｒ−ＦＲ  ｇａｐ又はｐｅｒ−ＵＥ  ｇａｐと、
第１のネットワークノードがユーザ装置ＵＲに対してＰｅｒ−ＦＲ  ｇａｐ又はｐｅｒ−ＵＥ  ｇａｐを設定するか否かの内容と、
Ｐｅｒ−ＦＲ  ｇａｐ又はｐｅｒ−ＵＥ  ｇａｐを解放する内容とのうちの少なくとも１つを含む。
【００７０】
さらに、ｐｅｒ−ＦＲ  ｇａｐ又はｐｅｒ−ＵＥ  ｇａｐを解放する情報は、容器に含まれるＲＲＣメッセージであり、第２のネットワークノードにトランスペアレント伝送される。
【００７１】
ステップ３では、第２のネットワークノードは、ユーザのｐｅｒ−ＦＲ  ｇａｐ又はｐｅｒ−ＵＥ  ｇａｐを解放する。
【００７２】
さらに、このステップで解放されたｐｅｒ−ＦＲ  ｇａｐ又はｐｅｒ−ＵＥ  ｇａｐは、第１のネットワークノードがユーザ装置に対して設定したものである。
【００７３】
さらに、ユーザ装置の測定ギャップを解放するステップは、
上記第２のネットワークノードが上記ユーザ装置に測定ギャップ解放（ｇａｐ  ｒｅｌｅａｓｅ）メッセージを送信するステップ、或いは
上記第１のネットワークノードが上記第２のネットワークノードにより上記ユーザ装置にトランスペアレント伝送容器に含まれる測定ギャップ解放メッセージを送信するステップを含む。
【００７４】
ステップ４では、第２のネットワークノードは、第１のネットワークノードに通知する。通知は、
通知内容を既に受信したことの確認メッセージと、
第２のネットワークノードがユーザ装置ＵＲに対してｐｅｒ−ＵＥ  ｇａｐ又はｐｅｒ−ＦＲ  ｇａｐを設定する内容と、
Ｐｅｒ−ＵＥ  ｇａｐの設定情報又はｐｅｒ−ＦＲ  ｇａｐの設定情報と、
第１のネットワークノードによって設定されたｇａｐを解放する内容と、
ｐｅｒ−ＦＲ  ｇａｐ又はｐｅｒ−ＵＥ  ｇａｐを解放する内容とのうちの少なくとも１つを含む。
【００７５】
ステップ５では、第２のネットワークノードは、ユーザ装置ＵＲに対してｐｅｒ−ＵＥ  ｇａｐ又はｐｅｒ−ＦＲ  ｇａｐを設定する。
【００７６】
さらに、この設定メッセージと、ステップ３におけるｇａｐ  ｒｅｌｅａｓｅメッセージとは同一のＲＲＣメッセージに含まれてよい。或いは、この設定メッセージは、ＳＲＢ１メッセージを介してユーザ装置ＵＲに送信されてよい。
【００７７】
なお、ステップ５は必須のステップであり、ステップ１〜４は選択可能なステップであり、各ステップの番号は各ステップの順序を限定するものではなく、当業者であれば、創造的な労力を要せずに各ステップの順序を変化することも本開示の保護範囲にある。
【００７８】
具体的には、第２のネットワークノードはＭＮであってよく、第１のネットワークノードはＳＮであってよい。
【００７９】
実施例３
本実施例では、第１のネットワークノードは、ユーザ装置ＵＲに対して、ＦＲ１に対する測定ギャップとＦＲ２に対する測定ギャップとを含むＦＲ  ｇａｐを設定し、或いは、ユーザ装置ＵＲに対してｐｅｒ−ＵＥ  ｇａｐを設定し、第２のネットワークノードは、ユーザ装置ＵＲに対して、ｐｅｒ−ＵＥ  ｇａｐ、又は、ＦＲ１に対する測定ギャップとＦＲ２に対する測定ギャップとを含むｐｅｒ−ＦＲ  ｇａｐを設定する。本実施例は、以下のステップ１〜ステップ４によりユーザ装置ＵＲに対して測定ギャップを設定する。
【００８０】
ステップ１では、第２のネットワークノードは、第１のネットワークノードに通知し、通知は、
ユーザ装置ＵＲに対してｐｅｒ−ＵＥ  ｇａｐ又はｐｅｒ−ＦＲ  ｇａｐを設定する必要がある内容と、
Ｐｅｒ−ＵＥ  ｇａｐの設定情報又はｐｅｒ−ＦＲ  ｇａｐの設定情報と、
ｐｅｒ−ＦＲ  ｇａｐ（ＦＲ１  ｇａｐ及び／又はＦＲ２  ｇａｐ）又はｐｅｒ−ＵＥ  ｇａｐを解放する内容と、
第１のネットワークノードによって設定されたｇａｐを解放する内容とのうちの少なくとも１つを含む。
【００８１】
ステップ２では、第１のネットワークノードは、ユーザ装置のｐｅｒ−ＦＲ  ｇａｐ又はｐｅｒ−ＵＥ  ｇａｐを解放する。
【００８２】
ステップ３では、第２のネットワークノードがユーザ装置ＵＲに対してｐｅｒ−ＵＥ  ｇａｐ又はｐｅｒ−ＦＲ  ｇａｐを設定し、
さらに、この設定情報をＳＲＢ３メッセージを介してユーザ装置に送信する。
【００８３】
ステップ４では、第１のネットワークノードは、第２のネットワークノードに通知し、通知は、
通知内容を既に受信したことの確認メッセージと、
第２のネットワークノードがユーザ装置ＵＲに対して設定したｐｅｒ−ＵＥ  ｇａｐ又はｐｅｒ−ＦＲ  ｇａｐと、
Ｐｅｒ−ＵＥ  ｇａｐの設定情報又はｐｅｒ−ＦＲ  ｇａｐの設定情報と、
第１のネットワークノードによって設定されたｇａｐを解放する内容と、
ｐｅｒ−ＦＲ  ｇａｐ又はｐｅｒ−ＵＥ  ｇａｐを解放する内容と、
ユーザ装置ＵＲに対してｐｅｒ−ＵＥ又はｐｅｒ−ＦＲ  ｇａｐを設定した内容とのうちの少なくとも１つを含む。
【００８４】
なお、ステップ３は必須のステップであり、ステップ１、２及び４は選択可能なステップであり、各ステップの番号は各ステップの順序を限定するものではなく、当業者であれば、創造的な労力を要せずに各ステップの順序を変化することも本開示の保護範囲にある。
【００８５】
具体的には、第２のネットワークノードはＭＮであってよく、第１のネットワークノードはＳＮであってよい。
【００８６】
実施例４
本実施例では、第１のネットワークノードは、ユーザ装置ＵＲに対して、ｐｅｒ−ＵＥ  ｇａｐを設定し、或いはユーザ装置ＵＲに対して、ＦＲ１に対する測定ギャップとＦＲ２に対する測定ギャップとを含むＦＲ  ｇａｐを設定し、第２のネットワークノードは、ユーザ装置ＵＲに対してｐｅｒ−ＦＲ  ｇａｐ又はｐｅｒ−ＵＥ  ｇａｐを設定し、本実施例は、以下のステップ１〜ステップ４によりユーザ装置ＵＲに対して測定ギャップを設定する。
【００８７】
ステップ１では、第２のネットワークノードは、第１のネットワークノードに通知し、通知は、
ユーザ装置ＵＲに対してｐｅｒ−ＵＥ  ｇａｐ又はｐｅｒ−ＦＲ  ｇａｐを設定する必要がある内容と、
Ｐｅｒ−ＵＥ  ｇａｐの設定情報又はｐｅｒ−ＦＲ  ｇａｐの設定情報と、
ｐｅｒ−ＦＲ  ｇａｐ（ＦＲ１  ｇａｐ及び／又はＦＲ２  ｇａｐ）又はｐｅｒ−ＵＥ  ｇａｐを解放する内容と、
第１のネットワークノードによって設定されたｇａｐを解放する内容とのうちの少なくとも１つを含む。
【００８８】
ステップ２では、第１のネットワークノードは、ユーザ装置のｐｅｒ−ＦＲ  ｇａｐ又はｐｅｒ−ＵＥ  ｇａｐを解放する。
【００８９】
ステップ３では、第１のネットワークノードがユーザ装置ＵＲに対してｐｅｒ−ＵＥ  ｇａｐ又はｐｅｒ−ＦＲ  ｇａｐを設定する。
【００９０】
さらに、この設定情報をＳＲＢ３メッセージを介してユーザ装置に送信する。
【００９１】
ステップ４では、第１のネットワークノードは、第２のネットワークノードに通知する。通知は、
通知内容を既に受信したことの確認メッセージと、
第２のネットワークノードがユーザ装置ＵＲに対して設定したｐｅｒ−ＵＥ  ｇａｐ又はｐｅｒ−ＦＲ  ｇａｐと、
Ｐｅｒ−ＵＥ  ｇａｐの設定情報又はｐｅｒ−ＦＲ  ｇａｐの設定情報と、
第１のネットワークノードによって設定されたｇａｐを解放する内容と、
ｐｅｒ−ＦＲ又はｐｅｒ−ＵＥ  ｇａｐを解放する内容と、
ユーザ装置ＵＲに対してｐｅｒ−ＵＥ  ｇａｐ又はｐｅｒ−ＦＲ  ｇａｐを設定する内容とのうちの少なくとも１つを含む。
【００９２】
なお、ステップ３は必須のステップであり、ステップ１、２及び４は選択可能なステップであり、各ステップの番号は各ステップの順序を限定するものではなく、当業者であれば、創造的な労力を要せずに各ステップの順序を変化することも本開示の保護範囲にある。
【００９３】
具体的には、第２のネットワークノードはＳＮであってよく、第１のネットワークノードはＭＮであってよい。
【００９４】
本開示の実施例に係る、第２のネットワークノードは、図４に示すように、
ユーザ装置に対して第１の測定ギャップを設定する設定モジュール２１と、
第１のネットワークノードと共に、上記第１の測定ギャップと、上記第１のネットワークノードが上記ユーザ装置に対して設定した測定ギャップである第２の測定ギャップとから選択される上記ユーザ装置の測定ギャップを決定する処理モジュール２２と、を含む。
【００９５】
本実施例では、第２のネットワークノードはユーザ装置に対して第１の測定ギャップを設定した後に、第１のネットワークノードと共に、第１の測定ギャップと、第１のネットワークノードがユーザ装置に対して設定した第２の測定ギャップとから選択されるユーザ装置の測定ギャップを決定し、第１のネットワークノード及び第２のネットワークノードをＭＮ及びＳＮから選択することにより、ＭＮ及びＳＮがユーザ装置ＵＲに対してｐｅｒ−ＵＥ  ｇａｐ及びｐｅｒ−ＦＲ  ｇａｐを設定する協調を実現することができる。
【００９６】
さらに、上記測定ギャップは、各ユーザ装置に対する測定ギャップ及び／又は各周波数範囲に対する測定ギャップのうちの少なくとも１つを含む。
【００９７】
さらに、上記処理モジュールは、さらに、上記第１のネットワークノードに第１の通知メッセージを送信し、上記第１の通知メッセージは、
上記ユーザ装置に対して第１の測定ギャップを設定する情報と、
上記第１の測定ギャップの設定情報と、
上記第１のネットワークノードが各ユーザ装置に対する測定ギャップ及び／又は各周波数範囲に対する測定ギャップを解放するように通知する情報と、
上記第１のネットワークノードが設定した測定ギャップを解放するように通知する情報とのうちの少なくとも１つを含む。
【００９８】
好ましくは、上記処理モジュールは、さらに、上記第１のネットワークノードからの第２の通知メッセージを受信し、上記第２の通知メッセージは、
上記第１の通知メッセージを既に受信したことの確認メッセージと、
上記第２のネットワークノードが上記ユーザ装置に対して第１の測定ギャップを設定する情報と、
上記第１の測定ギャップの設定情報と、
各ユーザ装置に対する測定ギャップ及び／又は各周波数範囲に対する測定ギャップを解放する情報と、
上記第１のネットワークノードによって設定された測定ギャップを解放する情報とのうちの少なくとも１つを含む。
【００９９】
好ましくは、上記処理モジュールは、さらに、上記ユーザ装置に上記第１の測定ギャップの設定情報を送信する。
【０１００】
さらに、上記設定情報は、ＳＲＢ３により上記ユーザ装置に送信される。
【０１０１】
好ましくは、上記処理モジュールは、さらに、上記第１のネットワークノードの第３の通知メッセージを受信し、上記第３の通知メッセージは、
上記第１の通知メッセージを既に受信したことの確認メッセージと、
上記第２のネットワークノードが上記第１のネットワークノードによって設定された第２の測定ギャップを解放する情報と、
上記第１のネットワークノードが上記ユーザ装置に対して設定した第２の測定ギャップと、
上記第１のネットワークノードが上記ユーザ装置に対して第２の測定ギャップを設定するか否かの情報と、
各ユーザ装置に対する測定ギャップ及び／又は各周波数範囲に対する測定ギャップを解放する情報とのうちの少なくとも１つを含む。
【０１０２】
さらに、上記第３の通知メッセージが、上記第２の測定ギャップを解放する情報、又は各ユーザ装置に対する測定ギャップ及び／又は各周波数範囲に対する測定ギャップを解放する上記情報を含む場合、上記第３の通知メッセージは、トランスペアレント伝送容器に含まれるＲＲＣメッセージである。
【０１０３】
好ましくは、上記処理モジュールは、さらに、上記ユーザ装置の測定ギャップを解放する。
【０１０４】
さらに、上記第２のネットワークノードが解放する測定ギャップは、上記第２の測定ギャップである。
【０１０５】
さらに、上記処理モジュールは、具体的には、上記ユーザ装置に測定ギャップ解放メッセージを送信する。
【０１０６】
好ましくは、上記処理モジュールは、さらに、上記第１のネットワークノードに第４の通知メッセージを送信し、上記第４の通知メッセージは、
上記第３の通知メッセージを既に受信したことの確認メッセージと、
上記第２のネットワークノードが上記ユーザ装置に対して第１の測定ギャップを設定する情報と、
第１の測定ギャップの設定情報と、
上記第１のネットワークノードによって設定された測定ギャップを解放する情報と、
各ユーザ装置に対する測定ギャップ及び／又は各周波数範囲に対する測定ギャップを解放する情報と、のうちの少なくとも１つを含む。
【０１０７】
好ましくは、上記処理モジュールは、さらに、上記ユーザ装置に上記第１の測定ギャップの設定情報を送信する。
【０１０８】
さらに、上記設定情報と上記測定ギャップ解放メッセージとは同一の無線リソース制御ＲＲＣメッセージにあり、或いは、
上記設定情報はＳＲＢ１メッセージを介して上記ユーザ装置に送信される。
【０１０９】
好ましくは、上記処理モジュールは、さらに、上記第１のネットワークノードからの第５の通知メッセージを受信し、上記第５の通知メッセージは、
上記第１の通知メッセージを既に受信したことの確認メッセージと、
上記第２のネットワークノードが上記ユーザ装置に対して第１の測定ギャップを設定する情報と、
第１の測定ギャップの設定情報と、
上記第１のネットワークノードによって設定された測定ギャップを解放する情報と、
各ユーザ装置に対する測定ギャップ及び／又は各周波数範囲に対する測定ギャップを解放する情報と、
上記ユーザ装置に対して第１の測定ギャップを設定する情報とのうちの少なくとも１つを含む。
【０１１０】
さらに、上記処理モジュールは、具体的には、前記第１のネットワークノードから送信された第６の通知メッセージを受信し、前記第６の通知メッセージは、
上記ユーザ装置に対して第１の測定ギャップを設定する情報と、
上記第１の測定ギャップの設定情報と、
各ユーザ装置に対する測定ギャップ及び／又は各周波数範囲に対する測定ギャップを解放する情報と、
上記第２のネットワークノードによって設定された測定ギャップを解放する情報とのうちの少なくとも１つを含む。
【０１１１】
好ましくは、上記処理モジュールは、さらに、上記ユーザ装置の各ユーザ装置に対する測定ギャップ及び／又は各周波数範囲に対する測定ギャップを解放する。
【０１１２】
好ましくは、上記処理モジュールは、さらに、上記第１のネットワークノードに第７の通知メッセージを送信し、上記第７の通知メッセージは、
上記第６の通知メッセージを既に受信したことの確認メッセージと、
上記第１のネットワークノードが上記ユーザ装置に対して第１の測定ギャップを設定する情報と、
第１の測定ギャップの設定情報と、
上記第１のネットワークノードによって設定された測定ギャップを解放する情報と、
各ユーザ装置に対する測定ギャップ及び／又は各周波数範囲に対する測定ギャップを解放する情報と、
上記ユーザ装置に対して第１の測定ギャップを設定する情報とのうちの少なくとも１つを含む。
【０１１３】
さらに、上記設定情報は、測定ギャップのパターン、周期及び長さを含む。
【０１１４】
さらに、上記実施例では、上記第２のネットワークノードはマスタ基地局であり、上記第１のネットワークノードはセカンダリ基地局であり、或いは、上記第２のネットワークノードはセカンダリ基地局であり、上記第１のネットワークノードはマスタ基地局である。
【０１１５】
本開示の実施例に係るネットワークノードは、メモリと、プロセッサと、メモリに記憶されてプロセッサ上で実行可能で、上記プロセッサによって実行されると、上述した測定ギャップの設定方法におけるステップを実現するコンピュータプログラムと、を含む。
【０１１６】
図５は、本開示の実施例が適用するネットワークノードの構成図であり、上記実施例における測定ギャップの設定方法の詳細を実現し、かつ同様の効果を達成することができる。図５に示すように、ネットワークノード５００は、プロセッサ５０１、トランシーバ５０２、メモリ５０３、ユーザインタフェース５０４及びバスインタフェースを含む。
【０１１７】
本開示の実施例では、ネットワークノード５００は、メモリ５０３に記憶されプロセッサ５０１上で実行可能なコンピュータプログラムをさらに含み、コンピュータプログラムは、プロセッサ５０１によって実行されると、ユーザ装置に対して第１の測定ギャップを設定するステップと、第１のネットワークノードと共に、上記第１の測定ギャップと、上記第１のネットワークノードが上記ユーザ装置に対して設定した測定ギャップである第２の測定ギャップとから選択される上記ユーザ装置の測定ギャップを決定するステップと、を実現する。
【０１１８】
図５において、バスアーキテクチャは、任意の数の相互接続されたバス及びブリッジを含んでよく、具体的には、プロセッサ５０１を代表する１つ以上のプロセッサとメモリ５０３を代表するメモリとの様々な回路によって一体に接続される。バスアーキテクチャは、さらに、周辺装置、スタビライザ及びパワー管理回路などの様々なその他の回路を一体に接続してよく、これらは、いずれも本分野において既知のものであるため、本明細書においてさらに説明しない。バスインタフェースは、インタフェースを提供する。トランシーバ５０２は、複数の部品であってよく、すなわち、送信機及び受信機を含み、伝送媒体で様々な他の装置と通信するためのユニットを提供する。異なるユーザ装置に対して、ユーザインタフェース５０４は、必要な装置との外部接続又は内部接続のためのインタフェースであってもよく、接続された装置は、ミニキーボード、ディスプレイ、ラウドスピーカー、マイクロホン、ジョイスティックなどを含むが、これらに限定されない。
【０１１９】
プロセッサ５０１は、バスアーキテクチャの管理及び通常の処理を担当し、メモリ５０３は、プロセッサ５０１が操作を実行する時に使用するデータを記憶することができる。
【０１２０】
さらに、上記測定ギャップは、各ユーザ装置に対する測定ギャップと各周波数範囲に対する測定ギャップのうちの少なくとも１つを含む。
【０１２１】
さらに、コンピュータプログラムは、プロセッサ５０１によって実行されると、上記第１のネットワークノードに第１の通知メッセージを送信するステップを実現し、上記第１の通知メッセージは、
上記ユーザ装置に対して第１の測定ギャップを設定する情報と、
上記第１の測定ギャップの設定情報と、
上記第１のネットワークノードが各ユーザ装置に対する測定ギャップ及び／又は各周波数範囲に対する測定ギャップを解放するように通知する情報と、
上記第１のネットワークノードが設定した測定ギャップを解放するように通知する情報とのうちの少なくとも１つを含む。
【０１２２】
好ましくは、コンピュータプログラムは、プロセッサ５０１によって実行されると、上記第２の測定ギャップを解放するステップを実現する。
【０１２３】
好ましくは、コンピュータプログラムは、プロセッサ５０１によって実行されると、上記第１のネットワークノードからの第２の通知メッセージを受信するステップを実現し、上記第２の通知メッセージは、
上記第１の通知メッセージを既に受信したことの確認メッセージと、
上記第２のネットワークノードが上記ユーザ装置に対して第１の測定ギャップを設定する情報と、
上記第１の測定ギャップの設定情報と、
各ユーザ装置に対する測定ギャップ及び／又は各周波数範囲に対する測定ギャップを解放する情報と、
上記第１のネットワークノードによって設定された測定ギャップを解放する情報と、のうちの少なくとも１つを含む。
【０１２４】
好ましくは、コンピュータプログラムは、プロセッサ５０１によって実行されると、上記ユーザ装置に上記第１の測定ギャップの設定情報を送信するステップを実現する。
【０１２５】
具体的には、上記設定情報は、ＳＲＢ３により上記ユーザ装置に送信することができる。
【０１２６】
好ましくは、コンピュータプログラムは、プロセッサ５０１によって実行されると、上記第１のネットワークノードからの第３の通知メッセージを受信するステップを実現し、上記第３の通知メッセージは、
上記第１の通知メッセージを既に受信したことの確認メッセージと、
上記第２のネットワークノードが上記第１のネットワークノードによって設定された第２の測定ギャップを解放する情報と、
上記第１のネットワークノードが上記ユーザ装置に対して設定した第２の測定ギャップと、
上記第１のネットワークノードが上記ユーザ装置に対して第２の測定ギャップを設定するか否かの情報と、
各ユーザ装置に対する測定ギャップ及び／又は各周波数範囲に対する測定ギャップを解放する情報とのうちの少なくとも１つを含む。
【０１２７】
さらに、上記第３の通知メッセージが、上記第２の測定ギャップを解放する情報、又は各ユーザ装置に対する測定ギャップ及び／又は各周波数範囲に対する測定ギャップを解放する上記情報を含む場合、上記第３の通知メッセージは、トランスペアレント伝送容器に含まれるＲＲＣメッセージである。
【０１２８】
好ましくは、コンピュータプログラムは、プロセッサ５０１によって実行されると、上記ユーザ装置の測定ギャップを解放するステップを実現する。
【０１２９】
具体的には、解放された測定ギャップは、上記第２の測定ギャップである。
【０１３０】
さらに、コンピュータプログラムは、プロセッサ５０１によって実行されると、上記ユーザ装置に測定ギャップ解放メッセージを送信するステップ、又は上記ユーザ装置にトランスペアレント伝送容器に含まれる測定ギャップ解放メッセージを送信するステップを実現する。
【０１３１】
好ましくは、コンピュータプログラムは、プロセッサ５０１によって実行されると、上記第１のネットワークノードに第４の通知メッセージを送信するステップを実現し、上記第４の通知メッセージは、
上記第３の通知メッセージを既に受信したことの確認メッセージと、
上記第２のネットワークノードが上記ユーザ装置に対して第１の測定ギャップを設定する情報と、
第１の測定ギャップの設定情報と、
上記第１のネットワークノードによって設定された測定ギャップを解放する情報と、
各ユーザ装置に対する測定ギャップ及び／又は各周波数範囲に対する測定ギャップを解放する情報とのうちの少なくとも１つを含む。
【０１３２】
好ましくは、コンピュータプログラムは、プロセッサ５０１によって実行されると、上記ユーザ装置に上記第１の測定ギャップの設定情報を送信するステップを実現する。
【０１３３】
さらに、上記設定情報と上記測定ギャップ解放メッセージとは同一の無線リソース制御ＲＲＣメッセージにあり、或いは、
上記設定情報はＳＲＢ１メッセージを介して上記ユーザ装置に送信される。
【０１３４】
好ましくは、コンピュータプログラムは、プロセッサ５０１によって実行されると、上記第１のネットワークノードがユーザ装置ごとの測定ギャップ及び／又は周波数範囲ごとの測定ギャップを解放するステップを実現する。
【０１３５】
好ましくは、コンピュータプログラムは、プロセッサ５０１によって実行されると、上記第１のネットワークノードからの第５の通知メッセージを受信するステップを実現し、上記第５の通知メッセージは、
上記第１の通知メッセージを既に受信したことの確認メッセージと、
上記第２のネットワークノードが上記ユーザ装置に対して第１の測定ギャップを設定する情報と、
第１の測定ギャップの設定情報と、
上記第１のネットワークノードによって設定された測定ギャップを解放する情報と、
各ユーザ装置に対する測定ギャップ及び／又は各周波数範囲に対する測定ギャップを解放する情報と、
上記ユーザ装置に対して第１の測定ギャップを設定する情報とのうちの少なくとも１つを含む。
【０１３６】
さらに、コンピュータプログラムは、プロセッサ５０１によって実行されると、上記第１のネットワークノードから送信された第６の通知メッセージを受信するステップを実現し、上記第６の通知メッセージは、
上記ユーザ装置に対して第１の測定ギャップを設定する情報と、
上記第１の測定ギャップの設定情報と、
各ユーザ装置に対する測定ギャップ及び／又は各周波数範囲に対する測定ギャップを解放する情報と、
上記第２のネットワークノードによって設定された測定ギャップを解放する情報とのうちの少なくとも１つを含む。
【０１３７】
好ましくは、コンピュータプログラムは、プロセッサ５０１によって実行されると、上記ユーザ装置の各ユーザ装置に対する測定ギャップ及び／又は各周波数範囲に対する測定ギャップを解放するステップを実現する。
【０１３８】
好ましくは、コンピュータプログラムは、プロセッサ５０１によって実行されると、上記第１のネットワークノードに第７の通知メッセージを送信するステップを実現し、上記第７の通知メッセージは、
上記第６の通知メッセージを既に受信したことの確認メッセージの情報と、
上記第１のネットワークノードが上記ユーザ装置に対して第１の測定ギャップを設定する情報と、
第１の測定ギャップの設定情報と、
上記第１のネットワークノードによって設定された測定ギャップを解放する情報と、
各ユーザ装置に対する測定ギャップ及び／又は各周波数範囲に対する測定ギャップを解放する情報と、
上記ユーザ装置に対して第１の測定ギャップを設定する情報とのうちの少なくとも１つを含む。
【０１３９】
さらに、上記設定情報は、測定ギャップのパターン、周期及び長さを含む。
【０１４０】
上記実施例では、ネットワークノードは、マスタ基地局であってもよく、セカンダリ基地局であってもよい。
【０１４１】
本開示の実施例に係るコンピュータ読み取り可能な記憶媒体には、プロセッサによって実行されると、上述した測定ギャップの設定方法におけるステップを実現するコンピュータプログラムが記憶されている。
【０１４２】
上記コンピュータ読み取り可能な記憶媒体は、読み取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク又は光ディスクなどの揮発性読み取り可能な記憶媒体及び不揮発性読み取り可能な記憶媒体を含む。
【０１４３】
理解できるように、本明細書に記載のこれらの実施例は、ハードウェア、ソフトウェア、ファームウェア、ミドルウェア、マイクロコード、又はそれらの組み合わせによって実現することができる。ハードウェアによって実現される場合、処理ユニットは、１つ以上の特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔｓ、ＡＳＩＣ）、デジタルシグナルプロセッサ（Ｄｉｇｉｔａｌ  Ｓｉｇｎａｌ  Ｐｒｏｃｅｓｓｏｒ、ＤＳＰ）、デジタル信号処理デバイス（ＤＳＰ  Ｄｅｖｉｃｅ、ＤＳＰＤ）、プログラマブルロジックデバイス（Ｐｒｏｇｒａｍｍａｂｌｅ  Ｌｏｇｉｃ  Ｄｅｖｉｃｅ、ＰＬＤ）、フィールドプログラマブルゲートアレイ（Ｆｉｅｌｄ−Ｐｒｏｇｒａｍｍａｂｌｅ  Ｇａｔｅ  Ａｒｒａｙ、ＦＰＧＡ）、汎用プロセッサ、コントローラ、マイクロコントローラ、マイクロプロセッサ、本願で説明される機能を実行するための他の電子ユニット又はそれらの組み合わせにおいて実現することができる。
【０１４４】
ソフトウェアによって実現される場合、本明細書に記載の機能を実行するモジュール（例えば、プロセス、関数など）により、本明細書に記載の技術を実現することができる。ソフトウェアコードは、メモリに記憶し、かつプロセッサによって実行することができる。メモリは、プロセッサ内又はプロセッサの外部で実現されてよい。
【０１４５】
本明細書における各実施例は、いずれも漸進的な方式で説明され、各実施例について、いずれも他の実施例との相違点を重点的に説明したが、各実施例との間の同じであるか又は類似した部分は、互いに参照すればよい。
【０１４６】
当業者であれば、本開示の実施例は、方法、装置又はコンピュータプログラム製品として提供できることを理解すべきである。したがって、本開示の実施例は、完全なハードウェアの実施例、完全なソフトウェアの実施例、又はソフトウェアとハードウェアを組み合わせた実施例の形態を採用することができる。さらに、本開示の実施例は、コンピュータ利用可能なプログラムコードを含む１つ以上のコンピュータ利用可能な記憶媒体（磁気ディスクメモリ、ＣＤ−ＲＯＭ（Ｃｏｍｐａｃｔ  Ｄｉｓｃ  Ｒｅａｄ−Ｏｎｌｙ  Ｍｅｍｏｒｙ）、光メモリなどを含むが、これらに限定されない）で実施されるコンピュータプログラム製品の形態を採用することができる。
【０１４７】
本開示の実施例は、本開示の実施例に係る方法、ユーザ装置（システム）及びコンピュータプログラム製品のフローチャート及び／又はブロック図を参照して説明される。フローチャート及び／又はブロック図における各フロー及び／又はブロック、及びフローチャート及び／又はブロック図におけるフロー及び／又はブロックの組み合わせは、コンピュータプログラム命令によって実現可能であることを理解すべきである。これらのコンピュータプログラム命令を、汎用コンピュータ、専用コンピュータ、組み込みプロセッサ又は他のプログラマブルデータ処理ユーザ装置のプロセッサに提供してマシンを生成することにより、コンピュータ又は他のプログラマブルデータ処理ユーザ装置のプロセッサによって実行される命令が、フローチャートにおける１つ以上のフロー及び／又はブロック図における１つ以上のブロック内に指定される機能を実現する装置を生成することができる。
【０１４８】
また、これらのコンピュータプログラム命令は、コンピュータ又は他のプログラマブルデータ処理ユーザ装置を特定の方式で機能するように指令できるコンピュータ読み取り可能なメモリに記憶されることにより、該コンピュータ読み取り可能なメモリ内に記憶されている命令が、フローチャートにおける１つ以上のフロー及び／又はブロック図における１つ以上のブロック内に指定される機能を実現する命令装置を含む製品を生成することができる。
【０１４９】
また、これらのコンピュータプログラム命令は、コンピュータ又は他のプログラマブルデータ処理ユーザ装置にロードして、コンピュータ又は他のプログラマブルユーザ装置に一連の動作ステップを実行させて、コンピュータ実現プロセスを生成することにより、コンピュータ又は他のプログラマブルユーザ装置で実行される命令は、フローチャートにおける１つ以上のフロー及び／又はブロック図における１つ以上のブロックに指定される機能のステップを実現するステップを提供する。
【０１５０】
本開示の実施例における好ましい実施例を説明したが、当業者は、基本的な創造性概念を知ると、これらの実施例に対して追加の変更及び修正を行うことができる。したがって、添付の特許請求の範囲は、好ましい実施例と本開示の実施例の範囲内にある全ての変更及び修正を含むと解釈しようとする。
【０１５１】
なお、本明細書において、「第１」、「第２」などの関係用語は、１つのエンティティ又は操作を別のエンティティ又は操作と区別するためのものに過ぎず、必ずしもこれらのエンティティ又は操作の間にこのような如何なる実際の関係又は順序が存在することを要求又は示唆するものではない。また、用語「含む」、「備える」又はそれらの任意の他の変形は、非排他的に含むことをカバーするものであることにより、一連の要素を含むプロセス、方法、物品又はユーザ装置は、それらの要素を含むだけでなく、明確に例示されていない他の要素をさらに含むか、又はこれらのプロセス、方法、物品又はユーザ装置固有の要素をさらに含む。更なる限定がない場合、語句「…含む」で限定された要素は、上記要素を含むプロセス、方法、物品又はユーザ装置に別の同じ要素がさらに存在する可能性がある。
【０１５２】
以上の説明は、本開示の好ましい実施形態であり、なお、当業者であれば、本開示の上記原理から逸脱しない前提で、いくつかの改良と修飾を行うことができ、これらの改良と修飾も本開示の保護範囲に含まれる。
【図１】
2021533678.tif 000004
【図２】
2021533678.tif 000005
【図３】
2021533678.tif 000006
【図４】
2021533678.tif 000007
【図５】
2021533678.tif 000008
【手続補正書】
【提出日】令和3年3月25日(2021.3.25)
【手続補正１】
【補正対象書類名】特許請求の範囲
【補正対象項目名】全文
【補正方法】変更
【補正の内容】
【特許請求の範囲】
【請求項１】
第２のネットワークノードに適用される測定ギャップの設定方法であって、
ユーザ装置に対して第１の測定ギャップを設定することと、
第１のネットワークノードと共に、前記第１の測定ギャップと、前記第１のネットワークノードが前記ユーザ装置に対して設定した測定ギャップである第２の測定ギャップとから選択される前記ユーザ装置の測定ギャップを決定することと、を含む、測定ギャップの設定方法。
【請求項２】
前記測定ギャップは、各ユーザ装置に対する測定ギャップと各周波数範囲に対する測定ギャップのうちの少なくとも１つを含む、請求項１に記載の測定ギャップの設定方法。
【請求項３】
前記の前記第１のネットワークノードと共に前記ユーザ装置の測定ギャップを決定することは、
前記第１のネットワークノードに第１の通知メッセージを送信することを含み、前記第１の通知メッセージは、
前記ユーザ装置に対して第１の測定ギャップを設定する情報と、
前記第１の測定ギャップの設定情報と、
前記第１のネットワークノードが各ユーザ装置に対する測定ギャップ及び／又は各周波数範囲に対する測定ギャップを解放するように通知する情報と、
前記第１のネットワークノードが設定した測定ギャップを解放するように通知する情報とのうちの少なくとも１つを含む、請求項１に記載の測定ギャップの設定方法。
【請求項４】
前記第１のネットワークノードが前記第２の測定ギャップを解放することをさらに含む、請求項１に記載の測定ギャップの設定方法。
【請求項５】
前記第１のネットワークノードからの第２の通知メッセージを受信することをさらに含み、前記第２の通知メッセージは、
前記第１の通知メッセージを既に受信したことの確認メッセージと、
前記第２のネットワークノードが前記ユーザ装置に対して第１の測定ギャップを設定する情報と、
前記第１の測定ギャップの設定情報と、
各ユーザ装置に対する測定ギャップ及び／又は各周波数範囲に対する測定ギャップを解放する情報と、
前記第１のネットワークノードによって設定された測定ギャップを解放する情報とのうちの少なくとも１つを含む、請求項１又は３に記載の測定ギャップの設定方法。
【請求項６】
前記ユーザ装置に前記第１の測定ギャップの設定情報を送信することをさらに含む、請求項１に記載の測定ギャップの設定方法。
【請求項７】
前記設定情報は、シグナリング無線ベアラＳＲＢ３により前記ユーザ装置に送信される、請求項６に記載の測定ギャップの設定方法。
【請求項８】
前記第１のネットワークノードからの第３の通知メッセージを受信することをさらに含み、前記第３の通知メッセージは、
前記第１の通知メッセージを既に受信したことの確認メッセージと、
前記第２のネットワークノードが前記第１のネットワークノードによって設定された第２の測定ギャップを解放する情報と、
前記第１のネットワークノードが前記ユーザ装置に対して設定した第２の測定ギャップと、
前記第１のネットワークノードが前記ユーザ装置に対して第２の測定ギャップを設定するか否かの情報と、
各ユーザ装置に対する測定ギャップ及び／又は各周波数範囲に対する測定ギャップを解放する情報とのうちの少なくとも１つを含む、請求項１又は３に記載の測定ギャップの設定方法。
【請求項９】
前記第３の通知メッセージが、前記第２の測定ギャップを解放する情報、又は各ユーザ装置に対する測定ギャップ及び／又は各周波数範囲に対する測定ギャップを解放する前記情報を含む場合、前記第３の通知メッセージは、トランスペアレント伝送容器に含まれるＲＲＣメッセージである、請求項８に記載の測定ギャップの設定方法。
【請求項１０】
前記ユーザ装置の測定ギャップを解放することをさらに含む、請求項１に記載の測定ギャップの設定方法。
【請求項１１】
前記第２のネットワークノードが解放する測定ギャップは、前記第２の測定ギャップである、請求項１０に記載の測定ギャップの設定方法。
【請求項１２】
前記のユーザ装置の測定ギャップを解放することは、
前記第２のネットワークノードが前記ユーザ装置に測定ギャップ解放メッセージを送信すること、又は
前記第１のネットワークノードが前記第２のネットワークノードにより前記ユーザ装置にトランスペアレント伝送容器に含まれる測定ギャップ解放メッセージを送信することをさらに含む、請求項１０に記載の測定ギャップの設定方法。
【請求項１３】
前記第１のネットワークノードに第４の通知メッセージを送信することをさらに含み、前記第４の通知メッセージは、
前記第３の通知メッセージを既に受信したことの確認メッセージと、
前記第２のネットワークノードが前記ユーザ装置に対して第１の測定ギャップを設定する情報と、
第１の測定ギャップの設定情報と、
前記第１のネットワークノードによって設定された測定ギャップを解放する情報と、
各ユーザ装置に対する測定ギャップ及び／又は各周波数範囲に対する測定ギャップを解放する情報とのうちの少なくとも１つを含む、請求項１又は８に記載の測定ギャップの設定方法。
【請求項１４】
前記ユーザ装置に前記第１の測定ギャップの設定情報を送信することをさらに含む、請求項３に記載の測定ギャップの設定方法。
【請求項１５】
ユーザ装置に対して第１の測定ギャップを設定する設定モジュールと、
第１のネットワークノードと共に、前記第１の測定ギャップと、前記第１のネットワークノードが前記ユーザ装置に対して設定した測定ギャップである第２の測定ギャップとから選択される前記ユーザ装置の測定ギャップを決定する処理モジュールと、を含む、第２のネットワークノード。
【国際調査報告】
2021533678.tif 000009
2021533678.tif 000010
2021533678.tif 000011
2021533678.tif 000012